(57)【要約】【課題】  ジョブにおいて使用又は処理される物品の搬送を伴うジョブを実行する半導体製造装置のスループットを向上させる。【解決手段】  本発明は、半導体製造装置であって、処理部と、処理部において使用又は処理される物品を搬送する搬送部と、キューテーブルと、キューテーブルに基づいて搬送部を制御する制御部と、を備える。キューテーブルには、現在処理部が実行しているジョブの次のジョブにおいて使用又は処理される物品を予め搬送することを制御するための制御情報が登録される。制御部は、制御情報に基づいて、次のジョブにおいて使用又は処理される物品を予め搬送するように搬送部を制御する。【選択図】図４
2009071194.tif 000002
【特許請求の範囲】
【請求項１】
半導体製造装置であって、
処理部と、
前記処理部において使用又は処理される物品を搬送する搬送部と、
キューテーブルと、
前記キューテーブルに基づいて前記搬送部を制御する制御部と、
を備え、
前記キューテーブルには、処理部が実行しているジョブの次のジョブにおいて使用又は処理される物品を予め搬送することを制御するための制御情報が登録され、
前記制御部は、前記制御情報に基づいて、前記次のジョブにおいて使用又は処理される物品を予め搬送するように前記搬送部を制御する、
ことを特徴とする半導体製造装置。
【請求項２】
前記制御情報は、前記次のジョブにおいて使用又は処理される物品を予め搬送することの可否の情報を含むことを特徴とする請求項１に記載の半導体製造装置。
【請求項３】
前記制御情報は、前記次のジョブにおいて使用又は処理される物品を予め搬送することが可能な位置の情報を含むことを特徴とする請求項１に記載の半導体製造装置。
【請求項４】
前記キューテーブルには、ジョブ毎に、使用又は処理される物品の現在位置の情報がさらに登録され、
前記制御部は、
前記予め搬送することが可能な位置の情報と前記現在位置の情報とに基づいて、前記次のジョブに後続するジョブにおいて使用又は処理される物品を予め搬送が可能な位置を算出し、
前記算出した位置に前記後続するジョブにおいて使用又は処理される物品を予め搬送するように前記搬送部を制御する、
ことを特徴とする請求項３記載の半導体製造装置。
【請求項５】
前記ジョブは、製造のためのジョブと点検のためのジョブとを含むことを特徴とする請求項１乃至請求項４のいずれか１項に記載の半導体製造装置。
【請求項６】
前記物品はレチクルであり、
前記半導体製造装置は露光装置である、
ことを特徴とする請求項１乃至請求項５のいずれか１項に記載の半導体製造装置。
【請求項７】
前記物品は基板であり、
前記半導体製造装置は露光装置である、
ことを特徴とする請求項１乃至請求項６のいずれか１項に記載の半導体製造装置。
【請求項８】
請求項６又は請求項７に記載の露光装置を用いて基板を露光する工程と、
前記露光された基板を現像する工程と、
を含むことを特徴とするデバイス製造方法。
【請求項９】
半導体製造方法であって、
キューテーブルに基づいて、処理部において使用又は処理される物品を搬送する工程を含み、
前記キューテーブルには、前記処理部が実行しているジョブの次のジョブにおいて使用又は処理される物品を予め搬送することを制御するための制御情報が登録され、
前記工程では、前記制御情報に基づいて、前記次のジョブにおいて使用又は処理される物品を予め搬送する、
ことを特徴とする半導体製造方法。
【発明の詳細な説明】
【技術分野】
【０００１】
本発明は、複数のロットを連続して処理可能な半導体製造装置、半導体製造方法及びデバイス製造方法に関する。
【背景技術】
【０００２】
従来、半導体露光装置においては、装置に対してロット処理の開始を指示してからウエハの搬入を行い、ウエハがウエハステージに到着し、かつウエハを露光するための回路原板であるレチクルまたはマスクがそのステージ上に到着した時点で露光処理が開始される。
【０００３】
特許文献１には、予めロットの処理列が指定されたジョブキューにより、ロットの自動開始又はオペレータによる処理開始の指示により、ロットのウエハ搬入を行いウエハがウエハステージに到着すると露光処理を開始させることが示されている。
【０００４】
特許文献２には、ジョブキューにより後続ロット以降の複数のレチクルが分かっている場合に、レチクル使用順番に応じてレチクル配置場所を決定することにより、レチクル搬送にかかる時間を最小限にすることが提案されている。
【０００５】
特許文献３には、複数のロットが連続して処理される場合に、次のロットが処理可能な状態か否かを判定することにより、現在処理中のロットの処理が完了する前に次のロットの処理を可能な範囲で進行できるようにすることが提案されている。
【特許文献１】特開平８−１６７５６２号公報
【特許文献２】特開２０００−３２３３９１号公報
【特許文献３】特開２００１−３０７９７２号公報
【発明の開示】
【発明が解決しようとする課題】
【０００６】
半導体製造装置において、ジョブキューに登録される連続するジョブの中には、製造処理のロット処理だけではなく半導体露光装置の調整コマンド等も含まれる。調整コマンドの中には、ウエハやレチクルなどの材料が途中の搬送経路にあると調整を実行できないコマンドも存在する。また、ロット処理だけを扱うジョブキューでも、調整が必要な際には、その都度オペレータが後続ジョブを停止させて調整処理を割り込ませる等の対応が必要となり、後続ジョブの材料に対する準備搬送の機能を十分に活かせていない。
【０００７】
本発明は、ジョブにおいて使用又は処理される物品の搬送を伴うジョブを実行する半導体製造装置のスループットを向上させることを目的とする。
【課題を解決するための手段】
【０００８】
本発明の半導体製造装置は、処理部と、処理部において使用又は処理される物品を搬送する搬送部と、キューテーブルと、キューテーブルに基づいて搬送部を制御する制御部と、を備え、キューテーブルには、現在処理部が実行しているジョブの次のジョブにおいて使用又は処理される物品を予め搬送することを制御するための制御情報が登録され、制御部は、制御情報に基づいて、次のジョブにおいて使用又は処理される物品を予め搬送するように搬送部を制御する、ことを特徴とする。
【０００９】
本発明の半導体製造方法は、キューテーブルに基づいて、処理部において使用又は処理される物品を搬送する工程を含み、キューテーブルには、処理部が実行しているジョブの次のジョブにおいて使用又は処理される物品を予め搬送することを制御するための制御情報が登録され、前記工程では、制御情報に基づいて、次のジョブにおいて使用又は処理される物品を予め搬送する、ことを特徴とする。
【発明の効果】
【００１０】
本発明によれば、ジョブにおいて使用又は処理される物品の搬送を伴うジョブを実行する半導体製造装置のスループットを向上させることができる。
【発明を実施するための最良の形態】
【００１１】
以下、添付図面を参照として本発明の好適な実施例を詳細に説明する。図１は本発明に係る半導体製造方法に使用される半導体製造装置の一例の全体構成を示す概念図である。半導体製造装置は、処理部と、処理部において使用又は処理される物品を搬送する搬送部と、キューテーブルと、キューテーブルに基づいて搬送部を制御する制御部と、を備えている。この実施例における半導体製造装置は露光装置１００である。
【００１２】
キューテーブルとしてのジョブキュー１０１には、実行すべき各ジョブが登録されている。１０２はジョブキュー１０１に登録されている先頭のジョブである。ジョブ１０２以降に続く「Ｌｏｔ」や「Ｃｏｍｍａｎｄ」もジョブキュー１０１に登録されているジョブである。「Ｌｏｔ」は製造のためのジョブを示し、「Ｃｏｍｍａｎｄ」は点検のような調整処理のジョブを示している。ジョブ１０２が保持している属性１０３は、ジョブにおいて使用又は処理される物品の搬送先や次のジョブにおいて使用又は処理される物品を予め搬送することの可否の制御情報である。ジョブ１０２以外のジョブもこのジョブ属性１０３と同様の属性を保持する。
【００１３】
後述するフローチャートによる処理手順は、例に限定されることはなく、いかなる手順を組み合わせることも、複数のジョブをまとめることも、ジョブを細分化することも可能である。また、各ジョブを個々に切り出して一つの機能要素として単体として機能し、他のジョブと組み合わせて使用することも可能である。
【００１４】
［実施例１］
図２は、図１で示したジョブ属性１０３の詳細な例を示している。ジョブＩＤ２０１はジョブの順番を示す。ジョブ名２０２はジョブの名前を示す。レチクル搬送先２０３はジョブにおいて使用するレチクルの最終搬送先を示す。ウエハ搬送先２０４はジョブにおいて処理される物品であるウエハの最終搬送先を示す。次のレチクル準備搬送可否２０５は次のジョブにおいて使用する物品であるレチクルを予め搬送することを許すか否かを示すフラグである。ここで言う準備搬送とは、現在ステージ等の処理部が実行している処理中ジョブのレチクルの最終搬送先がレチクルステージであるとする。ここで言う準備搬送とは、次のジョブのレチクルを例えばレチクルプレステージに搬送することである。次のウエハ準備搬送可否２０６は次のジョブのレチクルの準備搬送可否２０５と同様に、次のジョブのウエハの準備搬送可否を示すフラグである。
【００１５】
図４は、本実施例において、搬送部を制御する制御部の全体的な処理手順を示している。制御部は、ジョブキュー１０１の先頭にあるジョブの処理をスタートするタイミングで、物品の搬送フローが開始する。また、一旦準備搬送を諦めたジョブに対しても、周期的或いは各ジョブにおいて使用又は処理される物品が存在する位置の状況に変化が生じたタイミングで、制御部は搬送フローを開始する。制御部は、１つのジョブに対して搬送するべき物品の分だけ同時に並行処理することが可能である。例えば、準備搬送を管理される物品がレチクルとウエハであれば、このレチクル搬送の処理とウエハ搬送の処理とのそれぞれで処理が実行されることになる。
【００１６】
ステップ４０１で、制御部は、ジョブの処理をスタートされた処理中ジョブにおいて使用するレチクルやウエハの搬送先が空いていて使用可能な状態かを確認する。物品の搬送先が空いていて使用可能な状態ならばステップ４０２へ進む。何等かの理由により搬送先が使用可能でない状態の場合、制御部は、ステップ４０１を繰り返し、処理中ジョブにおいて使用又は処理される物品の搬送先が使用可能になるのを確認し続ける。例えば、図２のジョブＩＤ２０１が「１」、ジョブ名２０２が「Ｌｏｔ１」であるジョブが処理中のジョブであるとする。その場合、制御部は、レチクル搬送先２０３が「ステージ」であることから、現在レチクルステージが空いていて使用可能かどうかを確認する。もしレチクルステージが使用可能の状態でないならば、レチクルステージが空くまで待つことになる。
【００１７】
ステップ４０２で、制御部は、搬送部に処理中のジョブの物品を搬送先へ搬送させることを開始する。但し、この処理は搬送の開始を実行した後、物品が搬送先に到着する前であっても次ステップの処理が実行可能である。例えば、図２のジョブ名２０２「Ｌｏｔ１」が処理中のジョブである場合、レチクル搬送先２０３である「ステージ」へ搬送することを開始すると同時に、ステップ４０３の処理に進むことが可能である。
【００１８】
ステップ４０３で、制御部は、処理中ジョブの次のジョブの準備搬送可否情報を参照し、処理中ジョブが次のジョブにおいて使用又は処理される物品の搬送を許すか否を確認する。次のジョブの準備搬送可否情報が「可」の場合にはステップ４０４へ進み、「否」の場合には本フローの処理を終了し次のジョブの準備搬送は行なわない。例えば、図２のジョブ名２０２「Ｌｏｔ１」が処理中のジョブであるとする。次のレチクル準備搬送可否２０５が「可」であるので、ジョブＩＤ２０１が「２」、ジョブ名２０２が「Ｌｏｔ２」である次のジョブの準備搬送が許可されている。したがって、ステップ４０４の処理に進むことが可能である。逆に、ジョブＩＤ２０１が「３」のジョブ名２０２「Ｃｏｍｍａｎｄ１」が処理中のジョブであるとする。その場合、次のレチクル準備搬送可否２０５が「否」であるので、ジョブＩＤ２０１が「４」、ジョブ名２０２が「Ｌｏｔ３」である次のジョブの準備搬送は許可されておらず、本フローの処理を終了することになる。
【００１９】
ステップ４０４で、制御部は、次のジョブにおいて使用又は処理される物品を処理中のジョブの処理を妨げない範囲で、搬送先に最も近い位置に準備搬送する。例えば、処理中ジョブで使用するレチクルがレチクルステージで処理されており、レチクルステージまでの搬送経路でレチクルを待機可能な位置としてレチクルプレステージが設定されているとする。その場合、後続ジョブで使用するレチクルはレチクルプレステージに搬送されることになる。
【００２０】
本実施例によると、処理中のジョブの処理がなされている最中に、その処理中の内容により、次のジョブにおいて使用又は処理される物品の準備搬送をさせたり、準備搬送をさせなかったりすることを処理中ジョブの属性として持つことができる。これにより、処理中ジョブが次のジョブの準備搬送を許さない調整コマンドなどの場合においても、オペレータがジョブを手動で止めたり、止める操作を予約したりしなくても自動でジョブの準備搬送を処理することが可能となる。その結果、オペレータは、調整コマンドなどのジョブをジョブキューのどの順番にも躊躇すること無く割り込ませることができるようになる。
【００２１】
［実施例２］
図３は、図１で示したジョブ属性１０３ではあるが、図２で示した例とは違う情報の形式の例を示している。この例では、レチクルだけを取り上げているが、図２と同様にウエハ等他の材料においても同じ情報をジョブの属性として保持することが可能である。
【００２２】
ジョブＩＤ３０１はジョブの順番を示す。ジョブ名３０２はジョブの名前である。レチクル搬送先３０３はジョブにおいて使用する物品であるレチクルの最終搬送先である。次のレチクル準備搬送可能位置３０４は次のジョブで扱う物品であるレチクルを予め搬送することがどの位置まで可能かを示す位置情報である。例えば、処理中ジョブのレチクルの最終搬送先がレチクルステージであるとする。その場合に、ここで言う位置は、レチクルステージの手前に次のジョブのレチクルを待機させうるレチクルプレステージ、第１及び第２レチクル中継収納ユニット、レチクルライブラリ等の搬送経路を意味する。
【００２３】
レチクル現在位置３０５は、ジョブキュー１０１にあるジョブ毎に、使用又は処理される物品の現在位置の情報である。例えば、処理中ジョブのレチクルはレチクルステージに位置し、次のジョブのレチクルはレチクルプレステージに位置するというような各ジョブで使用する物品が存在する位置の情報である。
【００２４】
図３中の式３０６はジョブキューにあるジョブ毎に、物品をどの位置まで準備搬送することが可能かを算出するための計算式の一例である。
【００２５】
図５は、実施例２における制御部の全体的な処理手順を示している。制御部は、ジョブキュー１０１にある各ジョブが各々の準備搬送を可能なタイミングで開始する。制御部は、更に、一旦このフローで準備搬送を諦めたジョブに対しても、周期的或いは各ジョブにおいて使用又は処理される物品が存在する位置の状況に変化が生じたタイミングでフローを開始する。制御部は、１つのジョブに対して搬送するべき物品の分だけ同時に並行処理することが可能である。例えば、準備搬送を管理される物品がレチクルとウエハであれば、このレチクル搬送の処理とウエハ搬送の処理とのそれぞれで処理が実行されることになる。
【００２６】
以下、本フローチャートの処理対象であるジョブを「対象ジョブ」と呼び、対象ジョブの１つ前に先行しているジョブを「先行ジョブ」と呼ぶこととする。
【００２７】
ステップ５０１で、制御部は、対象ジョブの先行ジョブが次のジョブで使用又は処理される物品の準備搬送を許しているか否かを、先行ジョブの次のジョブ準備搬送可能位置情報を参照することで確認する。次のジョブの準備搬送可能位置情報が準備搬送は「可」であるという値、例えば「１以上」の値を示しているならば、ステップ５０２へ進む。準備搬送は「否」であるという値、例えば、「０」の値を示しているならば、制御部は、本フローチャートの処理を終了する。例えば、図３のジョブＩＤ３０１が「２」、ジョブ名３０２が「Ｌｏｔ２」が対象ジョブである場合、先行ジョブである「Ｌｏｔ１」の次のレチクル準備搬送可能位置３０４が「３：レチクルプレステージ」と０以上の値である。したがって、対象ジョブ「Ｌｏｔ２」の準備搬送は可ということになり、ステップ５０２へ進むことになる。もし、先行ジョブ「Ｌｏｔ１」の次のレチクル準備搬送可能位置３０４が「０：レチクルライブラリ」であったならば、対象ジョブの準備搬送はできない。
【００２８】
ステップ５０２で、制御部は、対象ジョブで使用又は処理される物品の現在位置から先に搬送可能かどうかを、対象ジョブで使用又は処理される物品の現在位置の情報と、先行ジョブで使用又は処理される物品の現在位置情報を参照することで確認する。対象ジョブと先行ジョブとの物品の搬送経路に物品を待機させるための空きがある場合、制御部は、ステップ５０３へ進み、空きが無い場合、制御部は本フローチャートの処理を終了する。図３では、対象ジョブ「Ｌｏｔ２」のレチクル現在位置３０５が「２：レチクル中継収納ユニット２」であり、先行ジョブ「Ｌｏｔ１」のレチクル現在位置が「４：レチクルステージ」である。すなわち、対象ジョブと先行ジョブとの搬送経路の間に「３：レチクルプレステージ」があり、対象ジョブのレチクルを待機させるための空きスペースがあることから制御部はステップ５０３へ進む。仮に、先行ジョブのレチクル現在位置が「３：レチクルプレステージ」であり、対象ジョブのレチクル搬送位置が既に「２：レチクル中継収納ユニット２」であるとする。その場合、対象ジョブのレチクルを先に搬送するための空きスペースが無いことになり、これ以上の準備搬送はできないことになる。
【００２９】
ステップ５０３で、制御部は、対象ジョブにおいて使用又は処理される物品を予め搬送が可能な位置を算出する。当該算出は、先行ジョブの次のジョブにおいて使用又は処理される物品を予め搬送することが可能な位置の情報３０４と、先行ジョブで使用又は処理される物品の、搬送先の情報３０３及び現在位置の情報３０５とからなされる。例えば、図３の「Ｌｏｔ２」で使用するレチクルの準備搬送位置Ａは、「Ｃ：ステージ４」から「Ｄ：ステージ４」を引いた値を、「Ｂ：レチクルプレステージ３」から引くことで算出できる。その結果、対象ジョブ「Ｌｏｔ２」において使用するレチクルを準備搬送する位置は「Ａ：レチクルプレステージ３」となる。但し、この算出手段は、この最低限の条件を考慮した計算式の例に限定されることは無く、各物品や搬送経路等の条件や、露光スピードや搬送スピードなど性能などの特性から導かれる計算式であってもよい。
【００３０】
ステップ５０４で、制御部は、ステップ５０３の処理で算出した値が正か、つまり対象ジョブで使用又は処理される物品の準備搬送が可能かどうかを判断する。制御部は、準備搬送が可能な場合にはステップ５０５へ進み、０以下の値、つまり準備搬送が可能でない場合には本フローチャートの処理を終了する。例えば、図３の「Ｌｏｔ２」を対象ジョブとした場合、ステップ５０３の処理で算出された準備搬送する位置は「３：レチクルプレステージ」となるので、ステップ５０５へ進む。
【００３１】
ステップ５０５で、制御部は、対象ジョブで使用又は処理される物品をステップ５０３で算出した値の位置へ搬送させる。例えば、図３の「Ｌｏｔ２」を対象ジョブとした場合、「３：レチクルプレステージ」と算出されたので、Ｌｏｔ２で使用するレチクルは、現在位置の第２レチクル中継収納ユニット２からレチクルプレステージ３へ搬送されることになる。
【００３２】
ステップ５０６で、制御部は、対象ジョブで使用又は処理される物品の現在位置の情報を、ステップ５０５で搬送した位置に更新する。例えば、図３の「Ｌｏｔ２」を対象ジョブとした場合、レチクル現在位置情報である「第２レチクル中継収納ユニット２」を、ステップ５０５で搬送した「レチクルプレステージ３」に更新する。
【００３３】
本実施例によると、処理中ジョブの処理がなされている最中に、その処理の内容により、後続ジョブで使用又は処理される物品を指定した位置まで準備搬送をさせることができる。これにより、後続ジョブの準備搬送を基本的には許さない調整コマンド等の場合にも、準備搬送する位置を細分化して定義しておくことで、その許される位置までは準備搬送するように制御することが可能となる。また、後続ジョブやそれ以降の待機ジョブ等ジョブキュー全体の準備搬送をさせることできる。さらに、各ロットのウエハ枚数が少ないようなジョブが連続して待機していても、処理中ジョブの処理終了にも関わらず後続ジョブのウエハやレチクルの搬送がステージの近傍まで届いていない状況を少なくすることができる。そして、全体のスループットの低下を防ぐことが望める。
【００３４】
以下、半導体装置の一例としての露光装置を説明する。露光装置は図６に示すように、照明装置、レチクルを搭載したレチクルステージ、投影光学系、ウエハを搭載したウエハステージとを有する。露光装置は、レチクルに形成された回路パターンをウエハに投影露光するものであり、ステップアンドリピート投影露光方式またはステップアンドスキャン投影露光方式であってもよい。
【００３５】
照明装置は回路パターンが形成されたレチクルを照明し、光源部と照明光学系とを有する。光源部は、例えば、光源としてレーザを使用する。レーザは、波長約193nmのArFエキシマレーザ、波長約248nmのKrFエキシマレーザ、波長約153nmのF2エキシマレーザなどを使用することができる。レーザの種類はエキシマレーザに限定されず、例えば、YAGレーザを使用してもよいし、そのレーザの個数も限定されない。光源にレーザが使用される場合、レーザ光源からの平行光束を所望のビーム形状に整形する光束整形光学系、コヒーレントなレーザ光束をインコヒーレント化するインコヒーレント化光学系を使用することが好ましい。また、光源部に使用可能な光源はレーザに限定されるものではなく、一又は複数の水銀ランプやキセノンランプなどのランプも使用可能である。
【００３６】
照明光学系はマスクを照明する光学系であり、レンズ、ミラー、ライトインテグレーター、絞り等を含む。
【００３７】
投影光学系は、複数のレンズ素子のみからなる光学系、複数のレンズ素子を少なくとも一枚の凹面鏡とを有する光学系、複数のレンズ素子と回折光学素子とを有する光学系、全ミラー型の光学系等を使用することができる。
【００３８】
レチクルステージおよびウエハステージは、たとえばリニアモータによって移動可能である。ステップアンドスキャン投影露光方式の場合には、それぞれのステージは同期して移動する。また、レチクルのパターンをウエハ上に位置合わせするためにウエハステージおよびレチクルステージの少なくともいずれかに別途アクチュエータを備える。
【００３９】
このような露光装置は、半導体集積回路等の半導体デバイスや、マイクロマシン、薄膜磁気ヘッド等の微細なパターンが形成されたデバイスの製造に利用されうる。
【００４０】
［デバイス製造方法の実施例］
上記説明した露光装置を利用したデバイス製造方法の実施例を説明する。図７は微小デバイス（ＩＣやＬＳＩ等の半導体チップ、液晶パネル、ＣＣＤ、薄膜磁気ヘッド、マイクロマシン等）の製造のフローを示す。ステップ１（回路設計）ではデバイスのパターン設計を行なう。ステップ２（マスク製作）では設計したパターンを形成したマスクを製作する。一方、ステップ３（ウエハ製造）ではシリコンやガラス等の材料を用いて基板であるウエハを製造する。ステップ４（ウエハプロセス）は前工程と呼ばれ、上記用意したマスクとウエハを用いて、リソグラフィ技術によってウエハ上に実際の回路を形成する。次のステップ５（組立て）は後工程と呼ばれ、ステップ４において作製されたウエハを用いて半導体チップ化する工程であり、アッセンブリ工程（ダイシング、ボンディング）、パッケージング工程（チップ封入）等の工程を含む。ステップ６（検査）では、ステップ５で作製された半導体デバイスの動作確認テスト、耐久性テスト等の検査を行なう。こうした工程を経て、半導体デバイスが完成し、これが出荷（ステップ７）される。
【００４１】
図８は上記ウエハプロセス（ステップ４）の詳細なフローを示す。ステップ１１（酸化）ではウエハの表面を酸化させる。ステップ１２（ＣＶＤ）ではウエハ表面に絶縁膜を形成する。ステップ１３（電極形成）ではウエハ上に電極を蒸着によって形成する。ステップ１４（イオン打込み）ではウエハにイオンを打ち込む。ステップ１５（レジスト処理）ではウエハにレジストを塗布する。ステップ１６（露光）では上記説明した露光装置によってマスクの回路パターンをウエハの複数のショット領域に並べて焼付露光する。ステップ１７（現像）では露光したウエハを現像する。ステップ１８（エッチング）では現像したレジスト像以外の部分を削り取る。ステップ１９（レジスト剥離）ではエッチングが済んで不要となったレジストを取り除く。これらのステップを繰り返し行なうことによって、ウエハ上に多重に回路パターンが形成される。
【００４２】
本実施例のジョブの制御方法を用いれば、従来は難しかった製造処理と調整処理のジョブの混在をさせた状態でデバイスの製造を効率的に行なうことができる。
【図面の簡単な説明】
【００４３】
【図１】実施例の全体構成を示す概要図
【図２】ジョブ属性情報の一例を示す図
【図３】ジョブ属性情報の他例を示す図
【図４】各ジョブの材料の準備搬送処理を示すフローチャートの一例を示す図
【図５】各ジョブの材料の準備搬送処理を示すフローチャートの他例を示す図
【図６】露光装置を説明するための図
【図７】露光装置を使用したデバイスの製造を説明するためのフローチャート
【図８】図７中のウエハプロセスの詳細なフローチャートの一例を示す図
【符号の説明】
【００４４】
１００：半導体製造（露光）装置、１０１：ジョブキュー、１０２：ジョブ、１０３：ジョブ属性、２０１：ジョブＩＤ情報、２０２：ジョブ名情報、２０３：材料搬送先情報（レチクル）、２０４：材料搬送先情報（ウエハ）、２０５：後続ジョブ材料準備搬送可否情報（レチクル）、２０６：後続ジョブ材料準備搬送可否情報（ウエハ）、３０１：ジョブＩＤ情報、３０２：ジョブ名情報、３０３：材料搬送先情報（レチクル）、３０４：後続ジョブ材料準備搬送可能位置情報（レチクル）、３０５：ジョブ材料現在搬送位置情報（レチクル）
【図１】
2009071194.tif 000003
【図２】
2009071194.tif 000004
【図３】
2009071194.tif 000005
【図４】
2009071194.tif 000006
【図５】
2009071194.tif 000007
【図６】
2009071194.tif 000008
【図７】
2009071194.tif 000009
【図８】
2009071194.tif 000010